(57)【要約】【課題】  光ディスクの上下非対称なアシンメトリという特性を補償するため、ビタビ復号の目標値を適応化する方法は、最小自乗ユークリッド距離の値が変化し、正確なエッジシフト量が得られず、最適な記録補償が困難である。【解決手段】  適応等化器２４は、光ディスクから再生されたランレングス制限符号に対してＰＲ特性を付与して波形等化し、波形等化後信号を出力すると共に、波形等化後信号の仮判別結果を示す仮判別信号を出力する。ビタビ復号器２５は、仮判別信号と波形等化後信号から複数の新たな目標値を適応的に算出し、仮判別信号に応じて選択した一の目標値又は波形等化後信号に対して、ビタビ復号を行って２値データ及びメトリック情報を出力する。これらを用いて、演算部２９は、実際の等化後信号に基づいた最小自乗ユークリッド距離を演算する。演算部２８、３２はＤＳＡＭ、ＳＡＭＤＥＶを算出する。【選択図】          図２
2006202459.tif 000002
【特許請求の範囲】
【請求項１】
記録媒体からランレングス制限符号を再生する再生手段と、
前記再生手段により再生された前記ランレングス制限符号に対してパーシャルレスポンス特性を付与して波形等化し、波形等化後信号を出力すると共に、該波形等化後信号の仮判別結果を示す仮判別信号を出力する適応等化手段と、
前記仮判別信号が示す目標値毎に前記波形等化後信号の値を抽出して、抽出した前記波形等化後信号から複数の新たな目標値を適応的に算出する目標値算出手段と、
前記複数の新たな目標値の中から前記仮判別信号に応じて選択した一の目標値又は前記波形等化後信号に対して、ビタビ復号を行って２値データ及びメトリック情報を出力する復号手段と、
前記２値データ及びメトリック情報に基づいて、前記算出された新たな目標値に応じた最小自乗ユークリッド距離を演算する第１の演算手段と、
前記２値データ及びメトリック情報に基づいて、状態遷移として存在し得、かつ、互いに前記最小自乗ユークリッド距離だけ離れている第１及び第２のパターンに対する第１及び第２のユークリッド距離をそれぞれ演算して求め、これら第１及び第２のユークリッド距離の差分値を算出する第２の演算手段と、
前記第１の演算手段からの前記最小自乗ユークリッド距離と前記第２の演算手段からの前記差分値とを減算する減算手段と、
前記減算手段により得られた減算値を自乗する自乗手段と、
前記自乗手段により得られた値と前記最小自乗ユークリッド距離とに基づいて、エラーレート情報を演算する第３の演算手段と
を有し、前記第３の演算手段により得られた前記エラーレート情報に基づいて、前記記録媒体の評価を行うことを特徴とする再生装置。
【請求項２】
記録媒体からランレングス制限符号を再生する再生手段と、
前記再生手段により再生された前記ランレングス制限符号をサンプリングして、サンプリングデータを得るサンプリング手段と、
前記サンプリングデータを係数タップの重み付けに応じてフィルタリングすることにより、パーシャルレスポンス特性を付与して波形等化し、波形等化後信号を出力すると共に、該波形等化後信号の仮判別結果を示す仮判別信号を出力する適応等化手段と、
前記仮判別信号が示す目標値毎に前記波形等化後信号の値を抽出して、抽出した前記波形等化後信号から複数の新たな目標値を適応的に算出する目標値算出手段と、
前記複数の新たな目標値の中から前記仮判別信号に応じて選択した一の目標値又は前記波形等化後信号に対して、ビタビ復号を行って２値データ及びメトリック情報を出力する復号手段と、
前記２値データ及びメトリック情報に基づいて、前記算出された新たな目標値に応じた最小自乗ユークリッド距離を演算する第１の演算手段と、
前記２値データ及びメトリック情報に基づいて、状態遷移として存在し得、かつ、互いに前記最小自乗ユークリッド距離だけ離れている第１及び第２のパターンに対する第１及び第２のユークリッド距離をそれぞれ演算して求め、これら第１及び第２のユークリッド距離の差分値を算出する第２の演算手段と、
前記第１の演算手段からの前記最小自乗ユークリッド距離と前記第２の演算手段からの前記差分値とを減算する減算手段と、
前記減算手段により得られた減算値を自乗する自乗手段と、
前記自乗手段により得られた値と前記最小自乗ユークリッド距離とに基づいて、エラーレート情報を演算する第３の演算手段と、
前記エラーレート情報に基づいて、前記適応等化手段の前記係数タップをエラーの少なくなる方向へ更新する制御手段と
を有することを特徴とする再生装置。
【請求項３】
前記減算手段により得られた減算値の絶対値を演算する絶対値演算手段を前記自乗手段に替えて設けると共に、前記第３の演算手段を、前記絶対値演算手段により得られた絶対値と前記最小自乗ユークリッド距離とに基づいて、エラーレート情報を演算する構成としたことを特徴とする請求項１又は２記載の再生装置。
【請求項４】
記録媒体からランレングス制限符号を再生する再生手段と、
前記再生手段により再生された前記ランレングス制限符号に対してパーシャルレスポンス特性を付与して波形等化し、波形等化後信号を出力すると共に、該波形等化後信号の仮判別結果を示す仮判別信号を出力する適応等化手段と、
前記仮判別信号が示す目標値毎に前記波形等化後信号の値を抽出して、抽出した前記波形等化後信号から複数の新たな目標値を適応的に算出する目標値算出手段と、
前記複数の新たな目標値の中から前記仮判別信号に応じて選択した一の目標値又は前記波形等化後信号に対して、ビタビ復号を行って２値データ及びメトリック情報を出力する復号手段と、
前記２値データ及びメトリック情報に基づいて、前記算出された新たな目標値に応じた最小自乗ユークリッド距離を演算する第１の演算手段と、
前記２値データ及びメトリック情報に基づいて、状態遷移として存在し得、かつ、互いに前記最小自乗ユークリッド距離だけ離れている第１及び第２のパターンに対する第１及び第２のユークリッド距離をそれぞれ演算して求め、これら第１及び第２のユークリッド距離の差分値を算出する第２の演算手段と、
前記第１の演算手段からの前記最小自乗ユークリッド距離と前記第２の演算手段からの前記差分値とを減算する減算手段と
を有し、前記減算手段により得られた減算値を、記録補償用の指標であるエッジシフト情報として用いて、前記記録媒体の評価を行うことを特徴とする再生装置。
【請求項５】
記録媒体からランレングス制限符号を再生する再生手段と、
前記再生手段により再生された前記ランレングス制限符号をサンプリングして、サンプリングデータを得るサンプリング手段と、
前記サンプリングデータを係数タップの重み付けに応じてフィルタリングすることにより、パーシャルレスポンス特性を付与して波形等化し、波形等化後信号を出力すると共に、該波形等化後信号の仮判別結果を示す仮判別信号を出力する適応等化手段と、
前記仮判別信号が示す目標値毎に前記波形等化後信号の値を抽出して、抽出した前記波形等化後信号から複数の新たな目標値を適応的に算出する目標値算出手段と、
前記複数の新たな目標値の中から前記仮判別信号に応じて選択した一の目標値又は前記波形等化後信号に対して、ビタビ復号を行って２値データ及びメトリック情報を出力する復号手段と、
前記２値データ及びメトリック情報に基づいて、前記算出された新たな目標値に応じた最小自乗ユークリッド距離を演算する第１の演算手段と、
前記２値データ及びメトリック情報に基づいて、状態遷移として存在し得、かつ、互いに前記最小自乗ユークリッド距離だけ離れている第１及び第２のパターンに対する第１及び第２のユークリッド距離をそれぞれ演算して求め、これら第１及び第２のユークリッド距離の差分値を算出する第２の演算手段と、
前記第１の演算手段からの前記最小自乗ユークリッド距離と前記第２の演算手段からの前記差分値とを減算する減算手段と、
前記減算手段により得られた減算値を、記録補償用の指標であるエッジシフト情報として用いて、前記適応等化手段の前記係数タップをエラーの少なくなる方向へ更新する制御手段と
を有することを特徴とする再生装置。
【請求項６】
レーザ光のレーザパワー設定値及びストラテジパルス設定パラメータに基づいて制御される前記レーザ光を用いて、記録媒体に所望の情報に関するランレングス制限符号を光学的に記録する記録手段と、
前記記録媒体から前記ランレングス制限符号を再生する再生手段と、
前記再生手段により再生された前記ランレングス制限符号に対してパーシャルレスポンス特性を付与して波形等化し、波形等化後信号を出力すると共に、該波形等化後信号の仮判別結果を示す仮判別信号を出力する適応等化手段と、
前記仮判別信号が示す目標値毎に前記波形等化後信号の値を抽出して、抽出した前記波形等化後信号から複数の新たな目標値を適応的に算出する目標値算出手段と、
前記複数の新たな目標値の中から前記仮判別信号に応じて選択した一の目標値又は前記波形等化後信号に対して、ビタビ復号を行って２値データ及びメトリック情報を出力する復号手段と、
前記２値データ及びメトリック情報に基づいて、前記算出された新たな目標値に応じた最小自乗ユークリッド距離を演算する第１の演算手段と、
前記２値データ及びメトリック情報に基づいて、状態遷移として存在し得、かつ、互いに前記最小自乗ユークリッド距離だけ離れている第１及び第２のパターンに対する第１及び第２のユークリッド距離をそれぞれ演算して求め、これら第１及び第２のユークリッド距離の差分値を算出する第２の演算手段と、
前記第１の演算手段からの前記最小自乗ユークリッド距離と前記第２の演算手段からの前記差分値とを減算する減算手段と、
前記減算手段により得られた減算値を自乗する自乗手段と、
前記自乗手段により得られた値と前記最小自乗ユークリッド距離とに基づいて、エラーレート情報を演算する第３の演算手段と、
前記エラーレート情報に基づいて、前記レーザパワー設定値及び前記ストラテジパルス設定パラメータの少なくとも一方を、エラーの少なくなる方向へ更新する制御手段と
を有することを特徴とする記録再生装置。
【請求項７】
前記減算手段により得られた減算値の絶対値を演算する絶対値演算手段を前記自乗手段に替えて設けると共に、前記第３の演算手段を、前記絶対値演算手段により得られた絶対値と前記最小自乗ユークリッド距離とに基づいて、エラーレート情報を演算する構成としたことを特徴とする請求項６記載の記録再生装置。
【請求項８】
レーザ光のレーザパワー設定値及びストラテジパルス設定パラメータに基づいて制御される前記レーザ光を用いて、記録媒体に所望の情報に関するランレングス制限符号を光学的に記録する記録手段と、
前記記録媒体から前記ランレングス制限符号を再生する再生手段と、
前記再生手段により再生された前記ランレングス制限符号に対してパーシャルレスポンス特性を付与して波形等化し、波形等化後信号を出力すると共に、該波形等化後信号の仮判別結果を示す仮判別信号を出力する適応等化手段と、
前記仮判別信号が示す目標値毎に前記波形等化後信号の値を抽出して、抽出した前記波形等化後信号から複数の新たな目標値を適応的に算出する目標値算出手段と、
前記複数の新たな目標値の中から前記仮判別信号に応じて選択した一の目標値又は前記波形等化後信号に対して、ビタビ復号を行って２値データ及びメトリック情報を出力する復号手段と、
前記２値データ及びメトリック情報に基づいて、前記算出された新たな目標値に応じた最小自乗ユークリッド距離を演算する第１の演算手段と、
前記２値データ及びメトリック情報に基づいて、状態遷移として存在し得、かつ、互いに前記最小自乗ユークリッド距離だけ離れている第１及び第２のパターンに対する第１及び第２のユークリッド距離をそれぞれ演算して求め、これら第１及び第２のユークリッド距離の差分値を算出する第２の演算手段と、
前記第１の演算手段からの前記最小自乗ユークリッド距離と前記第２の演算手段からの前記差分値とを減算する減算手段と、
前記減算手段により得られた減算値を、記録補償用の指標であるエッジシフト情報として用いて、前記レーザパワー設定値及び前記ストラテジパルス設定パラメータの少なくとも一方を、エラーの少なくなる方向へ更新する制御手段と
を有することを特徴とする記録再生装置。
【発明の詳細な説明】
【技術分野】
【０００１】
本発明は再生装置及び記録再生装置に係り、特にテーブル変換を用いるランレングス制限符号化手段で得られるランレングス制限符号を光ディスク等の記録媒体から再生する再生装置、及びビタビ復号とエラーレート指標抽出手段、もしくはエッジシフト情報抽出手段を備えて記録媒体からランレングス制限符号を記録し再生する記録再生装置に関する。
【背景技術】
【０００２】
光ディスクにおいては、従来、信号品質を示す指標として、ジッタが用いられており、ディスクの評価や、記録パラメータの最適化、等化器係数の最適化等にも用いられてきた。このジッタは、ゼロクロスするタイミングが、クロックに対してどの程度揺れているかをＴＩＡ（タイムインターバルアナライザ）等の計測器で計測し、標準偏差を演算して求めたものである。
【０００３】
しかし、近年の光ディスクの大容量化のための高密度化に伴って、再生系にはＰＲＭＬ（Partial Response Maximum Likelihood）処理が導入され、エラーレートが事実上最も重要な指標となってきた。前記ジッタとこのエラーレートとの間に相関はある程度あるものの、高密度記録された信号を再生すると、特に最短マーク長に対応した信号（ＢＤ規格においては２Ｔ；Ｔはチャネルクロックの周期）の振幅が著しく低下し、ジッタは、この２Ｔの品質でその値が左右される。
【０００４】
一方、エラーレートについては、ＰＲＭＬ信号処理した信号を記録再生する場合、状態遷移に基づいて複数の目標値を有するビタビ復号が使用されるため、２Ｔだけに依存するわけではなくなる。具体的には、ゼロクロス付近のデータだけでなく、信号全ての情報を用いて、元のデータを推測する。結果として、エラーレートにとって最適な状態と、ジッタにとって最適な状態は、一致しなくなってくる。
【０００５】
記録パラメータについても、従来は、ゼロクロス付近のずれ量をデータパターン毎に演算して求まるエッジシフト情報にて評価をしていたが、光ディスクの記録が高密度化されるにつれ、エラーレートとの相関性がなくなってきた。そこで、最近では、ビタビ復号と同様の考え方により、ユークリッド距離を用いたエラーレート指標、及びエッジシフト指標が、光ディスクの信号品質を示す指標として検討されるようになってきた。
【０００６】
ジッタに代わる指標としては、ＳＡＭ（Sequenced Amplitude Margin）信号という指標が提案されている。このＳＡＭ信号は、ゼロクロスを含むパターン毎のエッジシフト情報に相当するＤＳＡＭと、全てのパターンについて、ＤＳＡＭの分散を演算したもので、従来のジッタに相当するＤＳＡＭのデビエーション（以下、ＳＡＭＤＥＶと称す。）とからなる。
【０００７】
上記のＳＡＭ信号は、具体的には、光記録再生チャネルに適し、ハードウェア規模が小さく、記録最適化に活用できるという点から、エッジシフトエラーを定量化するＭＬＳＥ（Maximum Likelihood Sequence Error）という指標としてＰＲＭＬ信号処理における信号品位の評価指標に用いることが提案されている（例えば、非特許文献１参照）。
【０００８】
この非特許文献１では、パーシャルレスポンスＰＲ（１,２,２,１）のデコード処理において、状態遷移図には１本の信号系列Ｘに対し、２本の状態遷移パスＰＡ、ＰＢが生成され、それら２本のパスの信号系列Ｘに対するメトリック誤差ＭＤを次式で求める。
【０００９】
【数１】
2006202459.tif 000003
ここで、上式中、ｄ２ｍｉｎは、最小自乗ユークリッド距離を示し、ＭＬＳＥ演算ではパス長４で、ｄ２ｍｉｎ＝１０（＝１２＋２２＋２２＋１２）となるパターンを選択する。また、上式中、右辺のｄ２ｍｉｎを除いた絶対値の数値は、ゼロクロスを含むパターン毎のエッジシフト情報を示している。上記のメトリック誤差ＭＤのＲＭＳ値であるＭＤｒｍｓは、次式で表わされる。
【００１０】
【数２】
2006202459.tif 000004
そして、上記のＭＬＳＥは、上記のＭＤｒｍｓを２ｄ２ｍｉｎで除算して得られ、更に、ｄ２ｍｉｎ＝１０とすることにより、ＭＬＳＥは
ＭＬＳＥ（％）＝５０ＭＤｒｍｓ    
で得られる。
【００１１】
更に、この非特許文献１では、ＰＲＭＬ処理を採用する高密度光記録では、ＭＬＳＥが最小となるように、記録パルスを制御して最適記録を行う方法を開示している。すなわち、この非特許文献１では、ｄ２ｍｉｎ＝１０となる各パターン毎に得られたＤＳＡＭの情報を、記録時のライトストラテジ設定パラメータと対応させることにより、再生側で抽出した情報を記録にフィードバックして、トータルとしてエラーレートを下げることができることを示唆している。
【００１２】
また、従来、光ディスクのレーザ発光波形規則（ライトストラテジ）を決定するために、約１回転のデータを記録し、その記録した領域を再生して、マーク長とそのマークの直前又は直後のスペース長との組合せ毎に位相誤差（ゼロクロス部分のエッジシフト）を測定し、測定した位相誤差に基づき、位相誤差を補償する方向へ記録補償のパラメータを操作して最適な記録条件を決定するようにした記録再生装置も知られている（例えば、特許文献１参照）。
【００１３】
図１０は上記の特許文献１記載の従来の記録再生装置の一例の構成図を示す。同図において、レーザ駆動部２により駆動される半導体レーザ１から出射されたレーザ光は、こりメートレンズ３、ビームスプリッタ４及び対物レンズ５を介して光ディスク６に集光照射される。記録時にはコントローラ１７から出力された記録データが、データエンコーダ１６により誤り訂正符号の付加や変調などの所定の記録信号処理が施された後、記録パルス列補正部１３において、記録信号のマークの直前又は直後のスペースの長さに応じて、記録パルス列を補正したマルチパルス列に変換され、レーザ駆動部２に入力される。レーザ駆動部２からのマルチパルス列に応じて駆動される半導体レーザ１から出射されたレーザ光は、光ディスク６の記録層の物理的及び光学的特性を変化させて情報を記録する。
【００１４】
再生時には、光ディスク６からの反射光が、対物レンズ５、ビームスプリッタ４、検出レンズ７を介して受光素子で受光され、電気信号に変換されてヘッドアンプ９に入力される。ヘッドアンプ９から出力されたＲＦ信号は、データデコーダ１０に供給されて復調、エラー訂正などの処理が行われてコントローラ１７に供給される一方、位相誤差検出部１１に供給されて記録パターン毎に、チャネルクロックとの位相誤差が検出される。すなわち、記録パターン毎にエッジシフト量を検出する。
【００１５】
位相誤差検出部１１から出力された位相誤差検出信号は、記録補償パラメータ調整部１２に供給されて発光波形規則（ライトストラテジ）を最適化する。記録パルス列補正部１３は、データエンコーダ１６により生成された、記録すべきデータにエラー訂正符号が付与された記録データに応じて、記録補償パラメータ調整部１２からの発光波形規則に基づいて、レーザ駆動部２への制御信号を補正する。アシンメトリ検出部１４は、ヘッドアンプ９から出力された信号のアシンメトリを検出し、その検出結果を記録パワー決定部１５に供給して最適パワーを決定する。
【００１６】
この従来の記録再生装置では、発光波形規則（ライトストラテジ）を決定するためのテストパターンを光ディスク６に記録した後、そのテストパターンを記録した領域を再生して、位相誤差検出部１１において各種マークの長さとそのマークの直前の各種スペースの長さとのそれぞれの組合せにおける位相誤差量を測定し、その測定した位相誤差量から、位相誤差量が０となる発光波形規則（ライトストラテジ）を予測して発光波形規則（ライトストラテジ）を決定する。
【００１７】
上記の位相誤差量の測定においては、例えば、マークの始端におけるマーク長とそのマークの直前のスペースの長さの各例の組み合わせ毎に位相誤差量を示す位相誤差テーブルと、マークの終端におけるマーク長とそのマークの直前のスペースの長さの各例の組み合わせ毎に位相誤差量を示す位相誤差テーブルとを用いて行うようにしている。
【００１８】
【非特許文献１】H.Miyashita,etal,"Signal Qualification Method for PRML Read/Write Channel",Technical Digest of ISOM2003,pp.116-117,2003
【特許文献１】特開２００３−３０８３７号公報
【発明の開示】
【発明が解決しようとする課題】
【００１９】
ところで、光ディスクは記録時のレーザパワー等の条件により、記録信号を再生したときのＲＦ信号の上下非対称なアシンメトリという特性を有する。そして、この特性は、ビタビ復号に大きく影響し、ビタビ復号の効果を下げてしまう。近年、この特性を補償するため、ビタビ復号の目標値を適応化し、アシンメトリが上下非対称であっても、最も良い目標値が選ばれるようになってきており、そのような記録再生装置も本出願人により提案されている（例えば、特開２００２−３２９１９号公報）。
【００２０】
しかしながら、ビタビ復号の目標値を可変する上記の方法は、再生信号がＰＲ（１,２,２,１）というような固定の特性ではなくなり、結果として、前述した非特許文献１における最小自乗ユークリッド距離ｄ２ｍｉｎは、値が変わってしまうことになる。
【００２１】
このように最小自乗ユークリッド距離ｄ２ｍｉｎの値が変化すると、特許文献１記載の従来の記録再生装置のように、記録パターン毎に位相誤差量（エッジシフト量）を抽出して記録補償にフィードバックする構成では、ゼロクロスを含むパターン毎のエッジシフト情報を用いているため、正確なエッジシフト量が得られず、最適な記録補償が困難である。
【００２２】
また、実際のメトリックの値は、自乗（２乗）の値を扱うため、回路的なダイナミックレンジに制限されることが多く、演算精度には限界があり、有限のビット幅での演算を考えると、パターンによって最小自乗ユークリッド距離の値が変化し、ｄ２ｍｉｎ＝１０といったような単純な計算で求めることができない。
【００２３】
本発明は以上の点に鑑みなされたもので、実際の最小自乗ユークリッド距離の値を適宜演算して求める手段を追加することにより、ビタビの目標値が変動しても、追従して正確な最小自乗ユークリッド距離が求まり、確からしい指標が得られ、結果として、エラーレート、システムマージンを大幅に拡大することが可能な再生装置及び記録再生装置を提供することを目的とする。
【００２４】
また、本発明の他の目的は、ＰＲＭＬ処理において、適応等化回路が求めた仮判別信号の値を入力信号としてビタビ復号器に入力することにより、回路を追加することなく、すべてのパターンに対する個別の最小自乗ユークリッド距離の値を得ることが可能な再生装置及び記録再生装置を提供することにある。
【課題を解決するための手段】
【００２５】
上記の目的を達成するため、第１の発明の再生装置は、記録媒体からランレングス制限符号を再生する再生手段と、再生手段により再生されたランレングス制限符号に対してパーシャルレスポンス特性を付与して波形等化し、波形等化後信号を出力すると共に、波形等化後信号の仮判別結果を示す仮判別信号を出力する適応等化手段と、仮判別信号が示す目標値毎に波形等化後信号の値を抽出して、抽出した波形等化後信号から複数の新たな目標値を適応的に算出する目標値算出手段と、複数の新たな目標値の中から仮判別信号に応じて選択した一の目標値又は波形等化後信号に対して、ビタビ復号を行って２値データ及びメトリック情報を出力する復号手段と、２値データ及びメトリック情報に基づいて、算出された新たな目標値に応じた最小自乗ユークリッド距離を演算する第１の演算手段と、２値データ及びメトリック情報に基づいて、状態遷移として存在し得、かつ、互いに最小自乗ユークリッド距離だけ離れている第１及び第２のパターンに対する第１及び第２のユークリッド距離をそれぞれ演算して求め、これら第１及び第２のユークリッド距離の差分値を算出する第２の演算手段と、第１の演算手段からの最小自乗ユークリッド距離と第２の演算手段からの差分値とを減算する減算手段と、減算手段により得られた減算値を自乗する自乗手段と、自乗手段により得られた値と最小自乗ユークリッド距離とに基づいて、エラーレート情報を演算する第３の演算手段とを有し、第３の演算手段により得られたエラーレート情報に基づいて、記録媒体の評価を行うことを特徴とする。
【００２６】
この発明では、仮判別信号が示す目標値毎の実際の波形等化後信号から新たな目標値を求め、波形等化後信号の替わりに、その新たな目標値に対してビタビ復号を行って得た２値データ及びメトリック情報に基づいて、新たな目標値に応じた最小自乗ユークリッド距離を演算することにより、ビタビ復号の目標値を変動させても、追従して正確な最小自乗ユークリッド距離が求まり、これに基づいて得られたエラーレート情報に基づき確からしい評価を行うことができる。
【００２７】
また、上記の目的を達成するため、第２の発明の再生装置は、記録媒体からランレングス制限符号を再生する再生手段と、再生手段により再生されたランレングス制限符号をサンプリングして、サンプリングデータを得るサンプリング手段と、サンプリングデータを係数タップの重み付けに応じてフィルタリングすることにより、パーシャルレスポンス特性を付与して波形等化し、波形等化後信号を出力すると共に、波形等化後信号の仮判別結果を示す仮判別信号を出力する適応等化手段と、仮判別信号が示す目標値毎に波形等化後信号の値を抽出して、抽出した波形等化後信号から複数の新たな目標値を適応的に算出する目標値算出手段と、複数の新たな目標値の中から仮判別信号に応じて選択した一の目標値又は波形等化後信号に対して、ビタビ復号を行って２値データ及びメトリック情報を出力する復号手段と、２値データ及びメトリック情報に基づいて、算出された新たな目標値に応じた最小自乗ユークリッド距離を演算する第１の演算手段と、２値データ及びメトリック情報に基づいて、状態遷移として存在し得、かつ、互いに最小自乗ユークリッド距離だけ離れている第１及び第２のパターンに対する第１及び第２のユークリッド距離をそれぞれ演算して求め、これら第１及び第２のユークリッド距離の差分値を算出する第２の演算手段と、第１の演算手段からの最小自乗ユークリッド距離と第２の演算手段からの差分値とを減算する減算手段と、減算手段により得られた減算値を自乗する自乗手段と、自乗手段により得られた値と最小自乗ユークリッド距離とに基づいて、エラーレート情報を演算する第３の演算手段と、エラーレート情報に基づいて、適応等化手段の係数タップをエラーの少なくなる方向へ更新する制御手段とを有することを特徴とする。
【００２８】
この発明では、ビタビ復号の目標値を変動させても、追従して正確な最小自乗ユークリッド距離が求まり、これに基づいて得られたエラーレート情報に基づいて適応等化手段の係数タップをエラーの少なくなる方向へ更新するようにしたため、ビタビ復号の目標値を変動させても、エラーの少ない再生信号を得ることができる。
【００２９】
ここで、上記の第１及び第２の発明における減算手段により得られた減算値の絶対値を演算する絶対値演算手段を上記の自乗手段に替えて設けると共に、上記の第３の演算手段を、絶対値演算手段により得られた絶対値と最小自乗ユークリッド距離とに基づいて、エラーレート情報を演算する構成としてもよい。
【００３０】
また、上記の目的を達成するため、第４の発明の再生装置は、記録媒体からランレングス制限符号を再生する再生手段と、再生手段により再生されたランレングス制限符号に対してパーシャルレスポンス特性を付与して波形等化し、波形等化後信号を出力すると共に、波形等化後信号の仮判別結果を示す仮判別信号を出力する適応等化手段と、仮判別信号が示す目標値毎に波形等化後信号の値を抽出して、抽出した波形等化後信号から複数の新たな目標値を適応的に算出する目標値算出手段と、複数の新たな目標値の中から仮判別信号に応じて選択した一の目標値又は波形等化後信号に対して、ビタビ復号を行って２値データ及びメトリック情報を出力する復号手段と、２値データ及びメトリック情報に基づいて、算出された新たな目標値に応じた最小自乗ユークリッド距離を演算する第１の演算手段と、２値データ及びメトリック情報に基づいて、状態遷移として存在し得、かつ、互いに最小自乗ユークリッド距離だけ離れている第１及び第２のパターンに対する第１及び第２のユークリッド距離をそれぞれ演算して求め、これら第１及び第２のユークリッド距離の差分値を算出する第２の演算手段と、第１の演算手段からの最小自乗ユークリッド距離と第２の演算手段からの差分値とを減算する減算手段とを有し、減算手段により得られた減算値を、記録補償用の指標であるエッジシフト情報として用いて、記録媒体の評価を行うことを特徴とする。
【００３１】
この発明では、仮判別信号が示す目標値毎の実際の波形等化後信号から新たな目標値を求め、波形等化後信号の替わりに、その新たな目標値に対してビタビ復号を行って得た２値データ及びメトリック情報に基づいて、新たな目標値に応じた最小自乗ユークリッド距離を演算することにより、ビタビ復号の目標値を変動させても、追従して正確な最小自乗ユークリッド距離が求まり、これに基づいて算出したエッジシフト情報に基づき確からしい評価を行うことができる。
【００３２】
また、上記の目的を達成するため、第５の発明の再生装置は、記録媒体からランレングス制限符号を再生する再生手段と、再生手段により再生されたランレングス制限符号をサンプリングして、サンプリングデータを得るサンプリング手段と、サンプリングデータを係数タップの重み付けに応じてフィルタリングすることにより、パーシャルレスポンス特性を付与して波形等化し、波形等化後信号を出力すると共に、波形等化後信号の仮判別結果を示す仮判別信号を出力する適応等化手段と、仮判別信号が示す目標値毎に波形等化後信号の値を抽出して、抽出した波形等化後信号から複数の新たな目標値を適応的に算出する目標値算出手段と、複数の新たな目標値の中から仮判別信号に応じて選択した一の目標値又は波形等化後信号に対して、ビタビ復号を行って２値データ及びメトリック情報を出力する復号手段と、２値データ及びメトリック情報に基づいて、算出された新たな目標値に応じた最小自乗ユークリッド距離を演算する第１の演算手段と、２値データ及びメトリック情報に基づいて、状態遷移として存在し得、かつ、互いに最小自乗ユークリッド距離だけ離れている第１及び第２のパターンに対する第１及び第２のユークリッド距離をそれぞれ演算して求め、これら第１及び第２のユークリッド距離の差分値を算出する第２の演算手段と、第１の演算手段からの最小自乗ユークリッド距離と第２の演算手段からの差分値とを減算する減算手段と、減算手段により得られた減算値を、記録補償用の指標であるエッジシフト情報として用いて、適応等化手段の係数タップをエラーの少なくなる方向へ更新する制御手段とを有することを特徴とする。
【００３３】
この発明では、ビタビ復号の目標値を変動させても、追従して正確な最小自乗ユークリッド距離が求まり、これに基づいて得られたエッジシフト情報に基づいて適応等化手段の係数タップをエラーの少なくなる方向へ更新するようにしたため、ビタビ復号の目標値を変動させても、エラーの少ない再生信号を得ることができる
また、上記の目的を達成するため、第６の発明の記録再生装置は、レーザ光のレーザパワー設定値及びストラテジパルス設定パラメータに基づいて制御されるレーザ光を用いて、記録媒体に所望の情報に関するランレングス制限符号を光学的に記録する記録手段と、記録媒体からランレングス制限符号を再生する再生手段と、再生手段により再生されたランレングス制限符号に対してパーシャルレスポンス特性を付与して波形等化し、波形等化後信号を出力すると共に、波形等化後信号の仮判別結果を示す仮判別信号を出力する適応等化手段と、仮判別信号が示す目標値毎に波形等化後信号の値を抽出して、抽出した波形等化後信号から複数の新たな目標値を適応的に算出する目標値算出手段と、複数の新たな目標値の中から仮判別信号に応じて選択した一の目標値又は波形等化後信号に対して、ビタビ復号を行って２値データ及びメトリック情報を出力する復号手段と、２値データ及びメトリック情報に基づいて、算出された新たな目標値に応じた最小自乗ユークリッド距離を演算する第１の演算手段と、２値データ及びメトリック情報に基づいて、状態遷移として存在し得、かつ、互いに最小自乗ユークリッド距離だけ離れている第１及び第２のパターンに対する第１及び第２のユークリッド距離をそれぞれ演算して求め、これら第１及び第２のユークリッド距離の差分値を算出する第２の演算手段と、第１の演算手段からの最小自乗ユークリッド距離と第２の演算手段からの差分値とを減算する減算手段と、減算手段により得られた減算値を自乗する自乗手段と、自乗手段により得られた値と最小自乗ユークリッド距離とに基づいて、エラーレート情報を演算する第３の演算手段と、エラーレート情報に基づいて、レーザパワー設定値及びストラテジパルス設定パラメータの少なくとも一方を、エラーの少なくなる方向へ更新する制御手段とを有することを特徴とする。
【００３４】
この発明では、ビタビ復号の目標値を変動させても、追従して正確な最小自乗ユークリッド距離が求まり、これに基づいて得られたエラーレート情報に基づいてレーザパワー設定値及びストラテジパルス設定パラメータの少なくとも一方を、エラーの少なくなる方向へ更新するようにしたため、ビタビ復号の目標値を変動させても、再生信号のエラーの少ない記録を行うことができる。
【００３５】
ここで、上記の第６の発明における減算手段により得られた減算値の絶対値を演算する絶対値演算手段を上記の自乗手段に替えて設けると共に、上記の第３の演算手段を、絶対値演算手段により得られた絶対値と最小自乗ユークリッド距離とに基づいて、エラーレート情報を演算する構成としてもよい。
【００３６】
また、上記の目的を達成するため、第８の発明の記録再生装置は、レーザ光のレーザパワー設定値及びストラテジパルス設定パラメータに基づいて制御されるレーザ光を用いて、記録媒体に所望の情報に関するランレングス制限符号を光学的に記録する記録手段と、記録媒体からランレングス制限符号を再生する再生手段と、再生手段により再生されたランレングス制限符号に対してパーシャルレスポンス特性を付与して波形等化し、波形等化後信号を出力すると共に、波形等化後信号の仮判別結果を示す仮判別信号を出力する適応等化手段と、仮判別信号が示す目標値毎に波形等化後信号の値を抽出して、抽出した波形等化後信号から複数の新たな目標値を適応的に算出する目標値算出手段と、複数の新たな目標値の中から仮判別信号に応じて選択した一の目標値又は波形等化後信号に対して、ビタビ復号を行って２値データ及びメトリック情報を出力する復号手段と、２値データ及びメトリック情報に基づいて、算出された新たな目標値に応じた最小自乗ユークリッド距離を演算する第１の演算手段と、２値データ及びメトリック情報に基づいて、状態遷移として存在し得、かつ、互いに最小自乗ユークリッド距離だけ離れている第１及び第２のパターンに対する第１及び第２のユークリッド距離をそれぞれ演算して求め、これら第１及び第２のユークリッド距離の差分値を算出する第２の演算手段と、第１の演算手段からの最小自乗ユークリッド距離と第２の演算手段からの差分値とを減算する減算手段と、減算手段により得られた減算値を、記録補償用の指標であるエッジシフト情報として用いて、レーザパワー設定値及びストラテジパルス設定パラメータの少なくとも一方を、エラーの少なくなる方向へ更新する制御手段とを有することを特徴とする。
【００３７】
この発明では、ビタビ復号の目標値を変動させても、追従して正確な最小自乗ユークリッド距離が求まり、これに基づいて得られたエッジシフト情報に基づいてレーザパワー設定値及びストラテジパルス設定パラメータの少なくとも一方を、エラーの少なくなる方向へ更新するようにしたため、ビタビ復号の目標値を変動させても、再生信号のエラーの少ない記録を行うことができる。
【発明の効果】
【００３８】
本発明によれば、ビタビの目標値が変動しても、追従して正確な最小自乗ユークリッド距離が求まり、これにより確からしいエラーレート情報やエッジシフト情報などの指標が得られるため、結果として、エラーレート、システムマージンを大幅に拡大することができる。
【００３９】
また、本発明によれば、適応等化手段にて波形等化後信号と共に得られる仮判別信号を復号手段に入力してビタビ復号するようにしたため、回路を追加することなく、すべてのパターンに対する個別の最小自乗ユークリッド距離の値を得ることができる。
【発明を実施するための最良の形態】
【００４０】
次に、発明を実施するための最良の形態について図面と共に説明する。図１は本発明になる記録再生装置の一実施の形態の構成図を示す。同図中、図１０と同一構成部分には同一符号を付し、その説明を省略する。
【００４１】
図１に示す実施の形態の記録再生装置は、リードチャネル１８を有する点に特徴があり、リードチャネル１８において、実際の最小自乗ユークリッド距離ｄｍｉｎ’（前記ｄ２ｍｉｎに相当）の値を適宜演算して求める手段を設けることにより、各指標の値を正確に求めるようにし、また、ビタビ復号を行うに際し、適応的に更新した目標値に対して、その値（レベル）を使った擬似的な信号を生成し、波形等化後信号と切り替えてブランチメトリックに入力できるようにすることにより、従来の回路をそのまま用いて、適応的な最小自乗ユークリッド距離ｄｍｉｎ’の値を得ることにある。
【００４２】
図１において、ライトチャネル２０は、コントローラ１９から出力された記録すべきデータに対して、エラー訂正符号を付与しランレングス制限規則に従ったデータ変調を行って、基本となる半導体レーザ１への駆動信号となる記録データを生成する。記録パルス列補正部１３は、ライトチャネル２０から出力された記録データに応じて、レーザ駆動部２への制御信号を補正する。アシンメトリ検出部１４は、ヘッドアンプ９からの再生信号のアシンメトリを検出する。記録パワー決定部１５は、アシンメトリ検出部１４の検出結果に基づき、最適記録パワーを決定する。
【００４３】
再生動作においては、光ディスク６からの反射光が再び対物レンズ５を通った後、ビームスプリッタ４により入射光と分離され、検出レンズ７を経て受光素子８に結像されて光電変換される。受光素子８により得られた検出信号はヘッドアンプ９によりＲＦ信号などに変換され、リードチャネル１８により２値データ信号に変換されてコントローラ１９に送られる。
【００４４】
本実施の形態の情報記録装置においては、記録時の発光パワー（記録パワー）を決定するために、リードチャネル１８で算出した後述のエラーレート指標（ＳＡＭＤＥＶ）に基づき、コントローラ１９がレーザ駆動部２を制御し、エラーレートが最小となる最適な記録パワーを決定する。
【００４５】
すなわち、図１０に示した従来装置と同様に、テストパターンを光ディスク６に記録した後、そのテストパターンを記録した領域を再生して、位相誤差検出部１１において各種マークの長さとそのマークの直前の各種スペースの長さとのそれぞれの組合せにおける位相誤差量を測定し、その測定した位相誤差量から、位相誤差量が０となるストラテジを予測し、アシンメトリ検出部１４の検出結果に基づき、ストラテジ設定パラメータを変更して最適記録パワーの粗調整を行うが、本実施の形態ではこれに加えて最終的にリードチャネル１８で算出したエラーレート情報、及びエッジシフト情報の少なくともいずれか一方に基づいてエラーレートが最小となる記録パワーに微調整する。
【００４６】
記録パルス列補正部１３は、データ抽出クロック信号としてのチャネルクロックの周期（Ｔ）の２倍（２Ｔ）から８倍（８Ｔ）と９倍（９Ｔ）の長さを有するマークとスペースにより構成された所定パターン（テストパターン）に対するエッジシフト指標に基づき、その所定パターンにてエラーレートが最小となるような記録パルス列を生成する。コントローラ１９は、ｄｍｉｎ演算モード用の制御信号（ｄｍｉｎ演算モード信号）をリードチャネル１８に対して供給しており、例えば光ディスク６の再生時に適宜、最小自乗ユークリッド距離ｄｍｉｎ’を演算するモードに移行させる。
【００４７】
図２は図１のリードチャネル１８の一実施の形態のブロック図を示す。図２において、図１に示した光ディスク６から再生されてヘッドアンプ９で増幅されたランレングス制限符号は、Ａ／Ｄ変換器２１によりマスタークロックでサンプリングされてディジタル信号に変換された後、ＡＧＣ・ＡＴＣ回路２２で振幅を一定にする自動利得制御（ＡＧＣ）及び２値コンパレートの閾値を適切に直流（ＤＣ）制御する自動閾値制御（ＡＴＣ）が行われ、リサンプリング・ＤＰＬＬ２３に供給される。なお、Ａ／Ｄ変換器２１を設ける位置は、リサンプリング・ＤＰＬＬ２３の前であればどこであってもよい。
【００４８】
リサンプリング・ＤＰＬＬ２３は、自分自身のブロックの中でループが完結しているディジタルＰＬＬ回路で、Ａ／Ｄ変換器２１により固定のシステムクロックでサンプリングされている入力信号に対し、所望のビットレートでリサンプリングしたディジタルデータを生成し、後段の適応等化器２４に供給する。
【００４９】
なお、ここで「リサンプリング」とは、ビットクロックのタイミングにおけるサンプリングデータを、システムクロックのタイミングでＡ／Ｄ変換したデータより間引き補間演算をして求めることをいう。また、リサンプリング・ＤＰＬＬ２３は、位相０°のリサンプリングデータのゼロクロスを検出しており、それにより得られる０ポイント情報を適応等化回路２０に供給する。
【００５０】
なお、上記０ポイント情報は、ビットサンプリングのデータが、ゼロレベルとクロスするポイントをビットクロック単位で示している。更に、リサンプリング・ＤＰＬＬ２３は、この０ポイント情報が示すゼロクロスポイントに相当する位相１８０°のリサンプリングデータの値に基づいて、それが０に近付くように、リサンプリングのタイミング、つまり周波数及び位相をロックさせる。
【００５１】
適応等化器２４によりＰＲ（パーシャルレスポンス）特性が付与された等化後再生波形は、ビタビ復号器２５に供給されて、例えばビタビ復号される。このビタビ復号器２５の回路構成は後述するように、本実施の形態特有の構成であるが、基本的には、等化後再生波形のサンプル値からブランチメトリックを計算するブランチメトリック演算部と、そのブランチメトリックを１クロック毎に累積加算してパスメトリックを計算するパスメトリック演算部と、パスメトリックが最小となる、最も確からしいデータ系列を選択する信号を記憶するパスメモリとを有し、これに加えて本実施の形態では、適応的に変化したビタビ復号の目標値と仮判別信号に基づいて生成した信号を、本来のビタビ復号器の入力である波形等化後信号と置き換えてビタビ復号する手段を有する。上記のパスメモリは、複数の候補系列を格納しており、パスメトリック演算部からの選択信号に従って選択した候補系列を復号データ系列である２値データとして出力する。
【００５２】
リサンプリング・ＤＰＬＬ２３は、例えば図３のブロック図に示す如き構成とされている。同図において、補間器２３１は図２のＡＧＣ・ＡＴＣ回路２２からの入力ディジタル信号と後述のタイミング調整器２３４からの信号とを入力信号として受け、タイミング調整器２３４から入力されるデータ点位相情報とビットクロックから位相点データのデータ値を補間により推定して出力する。この補間器２３１の出力データ値は、リサンプリング信号として図２の適応等化器２４に供給されると共に、位相検出器２３２に供給される。位相検出器２３２は、リサンプリング信号からゼロクロス点を検出し、ゼロクロス点でのデータ値を利用して位相誤差として出力する。
【００５３】
位相検出器２３２の出力位相誤差信号は、ループフィルタ２３３で積分された後、タイミング調整器２３４に供給され、ここでループフィルタ２３３の出力の次のデータ点位相の推定が行われ、このデータ点位相情報と、同じく生成されたビットクロックが補間器２３１に供給される。
【００５４】
図４は図２中の適応等化器２４の一実施の形態のブロック図を示す。図４において、適応等化器２４は、リサンプリング・ＤＰＬＬ２３からのリサンプリングデータに対して、ＰＲ等化特性を付与するトランスバーサルフィルタ２４１と、このトランスバーサルフィルタ２４１の係数をエラー信号に応じて可変する乗算器・低域フィルタ（ＬＰＦ）２４４と、トランスバーサルフィルタ２４１の出力信号に基づいてエラー信号を生成する仮判別回路２４２と、前記エラー信号を極性反転して乗算器・ＬＰＦ２４４に供給するインバータ（ＩＮＶ）２４３とからなる。
【００５５】
仮判別回路２４２はトランスバーサルフィルタ２４１の出力（等化後出力）を仮判別し、その等化後出力と仮判別結果の差を演算することによってエラー信号を生成する。仮判別結果は、仮判別信号として、図２に示したビタビ復号器２５へ供給される。なお、仮判別回路２４２自体の動作は、本発明者による発明を記載した特許第３４２８４９９号公報、特許第３４２８５２５号公報などに開示されており、公知である。
【００５６】
再生信号のチャネルレート（ビットレート）に対して、再生信号の帯域は、光学系のＭＴＦ特性により、高域が大きく削られている。このとき、理想的には、公知のナイキスト条件を満たすように等化が行われ、その一つである目標特性（ＰＲ（１，１）、ＰＲ（１，２，２，１）などのような特性）に収束することが望ましい。
【００５７】
例えば、ＰＲ（１，２，２，１）を考えた場合、この波形等化後信号に対する仮判別信号は、０，ａ，２ａ，ａ＋ｂ，２ｂ，ａ＋２ｂ，２ａ＋２ｂの７値をとる。この７値をビタビ復号器に入力すると、元のデータ（入力値）とＰＲ等化後の再生信号（出力値）は、過去の信号の拘束を受け、これと（１，７）ＲＬＬによって入力信号の"１"は２回以上続かないことを利用すると、図５に示すような状態遷移図で表わすことができることが知られている。なお、（１，７）ＲＬＬは最小反転間隔が”２”で、最大反転間隔が”７”であるランレングス制限規則を示す。
【００５８】
図５において、Ｓ０〜Ｓ５は直前の出力値により定まる状態を示す。この状態遷移図から例えば状態Ｓ２にあるときは、入力値がａ＋２ｂのとき出力値１となって状態Ｓ３へ遷移し、入力値が２ｂのとき出力値が１となって状態Ｓ４へ遷移するが、それ以外の入力値は入力されないことが分かり、また、もし入力されればそれはエラーであることが分かる。
【００５９】
また、上記以外のパーシャルレスポンス（ＰＲ）特性として、ＰＲ（ａ，ｂ，ｂ，ｂ，ａ）の特性を孤立波に付与して等化すると、よく知られているように、この等化波形は、０，ａ，２ａ，ａ＋ｂ，２ａ＋ｂ，２ｂ，ａ＋２ｂ，３ｂ，ａ＋３ｂ，２ａ＋３ｂの１０値をとる（ただし、ａ＝１、ｂ＝２のような場合には、２ａ＋ｂ＝２ｂとなるので、９値をとる。）。
【００６０】
この１０値をビタビ復号器に入力すると、元のデータ（入力値）とＰＲ等化後の再生信号（出力値）は、過去の信号の拘束を受け、これと（１，７）ＲＬＬによって入力信号は”１”が２回以上続かないことを利用すると、図８に示すような状態遷移図で表わすことができることが知られている。
【００６１】
図８において、Ｓ０〜Ｓ９は直前の出力値により定まる状態を示す。この状態遷移図から例えば状態Ｓ２にあるときは、入力値がａ＋２ｂのとき出力値１となって状態Ｓ３へ遷移し、入力値が２ｂのとき出力値が１となって状態Ｓ４へ遷移するが、それ以外の入力値は入力されないことが分かり、また、もし入力されればそれはエラーであることが分かる。
【００６２】
図９は上記のＰＲ（ａ，ｂ，ｂ，ｂ，ａ）の特性と仮判別回路２４２が出力する仮判別値との関係を示す。図９では、例として、パーシャルレスポンス特性がＰＲ（１，２，２，２，１）、ＰＲ（１，３，３，３，１）の場合を示しているが、ＰＲ（１，１，１，１，１）やＰＲ（３，４，４，４，３）等も可能である。また、図９において、ＲＬＬ（１，ｘ）は最小反転間隔が”２”で、最大反転間隔が変調方式によって異なる所定の値ｘのランレングス制限規則を示し、ＲＬＬ（２，ｘ）は最小反転間隔が”３”で、最大反転間隔が変調方式によって異なる所定の値ｘのランレングス制限規則を示している。
【００６３】
ＲＬＬ（１，ｘ）の場合は、図８と共に説明したように、等化波形は、ＰＲ（ａ，ｂ，ｂ，ｂ，ａ）では、０，ａ，２ａ，ａ＋ｂ，２ａ＋ｂ，２ｂ，ａ＋２ｂ，３ｂ，ａ＋３ｂ，２ａ＋３ｂの１０値をとり、これらに対応した各パーシャルレスポンス特性における仮判別信号の値（仮判別値）が図９に示されている。ＲＬＬ（２，ｘ）はＲＬＬ（１，ｘ）と同様の仮判別値を示すが、ＲＬＬ（１，ｘ）の２ａ＋ｂと２ｂで示す２値の値は存在しない。このような場合でも、目標値を適応的に算出した状態で、エラーレート情報やエッジシフト情報を取り出すことで、前記実施の形態と同様の効果が得られる。
【００６４】
次に、ビタビ復号（ＭＬ）について図６を用いて説明する。図６は図２中のビタビ復号器２５の一実施の形態のブロック図を示す。図２及び図４に示した適応等化器２４より出力された波形等化後信号と仮判別信号のうち、波形等化後信号は図６に示すビタビ復号器２５内のスイッチ（ＳＷ）２５１及び分配器２５５にそれぞれ供給され、仮判別信号は、選択器２５０及び分配器２５５にそれぞれ供給される。
【００６５】
分配器２５５は、仮判別信号に基づき、その目標値毎に適応等化器２４より出力された実際の波形等化後信号の値を抽出する。低域フィルタ（ＬＰＦ）２５６は、分配器２５５から出力された波形等化後信号の低域成分だけを同じく目標値毎に抽出する。目標値演算部２５７は、ＬＰＦ２５６から供給された波形等化後信号の低域成分に基づいて、新しい目標値を生成する。例えば、仮判別信号の値（目標値）２ａ＋２ｂに対するＬＰＦ２５６からの実際の出力信号をｙ＋、仮判別信号の値（目標値）０に対するＬＰＦ２５６の実際の出力信号をｙ−とすると、生成される新しい目標値をａｉｍ（２ａ＋２ｂ），ａｉｍ（０）とすると、これらは
ａｉｍ（２ａ＋２ｂ）＝          （（ｙ＋）−（ｙ−））／２
ａｉｍ（０）        ＝（−１）×（（ｙ＋）−（ｙ−））／２
で表わされる。
【００６６】
目標値演算部２５７で生成された新しい目標値は、選択器２５０及びブランチメトリック演算部２５２にそれぞれ供給される。選択器２５０は、入力される仮判別信号の値に基づいて、目標値演算部２５７からの複数の目標値の中から一の目標値を選択する。その選択された目標値はＳＷ２５１に供給される。ＳＷ２５１は、図１に示したコントローラ１９より供給されるｄｍｉｎ演算モード信号に基づきｄｍｉｎ演算をするときには、選択器２５０から供給された目標値を出力し、それ以外は、適応等化器２４から供給された波形等化後信号を切り替え出力する。
【００６７】
ＳＷ２５１の出力信号は、ブランチメトリック演算部２５２に供給される。ブランチメトリック演算部２５２では、目標値演算部２５７より供給される目標値群に対して、遷移一回分のエラー演算を行い、それぞれの目標値群に対して、ユークリッド距離を演算する。ブランチメトリック演算部２５２の出力信号は、パスメトリック演算部２５３に供給される。
【００６８】
パスメトリック演算部２５３は、入力されたユークリッド距離に基づいてパスメトリックを演算し、その演算結果を２値データとして、バスメモリ２５４を介して出力する。また、パスメトリック演算部２５３は、パスメトリックを演算する過程において、状態遷移が合流するところ（マージ）がある場所ではパスメトリックの比較を行い、この結果をメトリック情報として後段に出力する。
【００６９】
再び図２に戻って説明するに、図６の構成のビタビ復号器２５より出力されたメトリック情報は、パターン別メトリック演算部２６に供給される。パターン別メトリック演算部２６は、ビタビ復号器２５から出力された２値データからパターン検出部２７で検出された複数のパターン検出情報が供給されており、そのパターン検出情報に応じてビタビ復号器２５から入力されたメトリック情報を振り分ける。
【００７０】
パターン別メトリック演算部２６の出力メトリック情報は、ＤＳＡＭ演算部２８とｄｍｉｎ’演算部２９にそれぞれ供給される。ＤＳＡＭ演算部２８では、次式によりＤＳＡＭを算出する。
【００７１】
【数３】
2006202459.tif 000005
一方、ｄｍｉｎ’演算部２９では、次式によりｄｍｉｎ’を算出する。
【００７２】
【数４】
2006202459.tif 000006
ここで、数３及び数４に示した各式において、ｌＡｉ、ｌＢｉは、１本の信号系列Ｘに対して生成される２本の状態遷移パスＰＡとＰＢにおける状態Ｓi-1から状態Ｓiへの遷移の理想的信号レベルを示し、ｙiは状態Ｓi-1から状態Ｓiへの遷移の波形等化後信号レベルを示し、ｄｍｉｎ’は２本の状態遷移パスＰＡとＰＢとの間の最小自乗ユークリッド距離を示す。
【００７３】
また、数３は、状態遷移として存在し得るパターンＡに対するユークリッド距離と、状態遷移として存在し得るパターンＢ（ただし、パターンＡとＢはｄｍｉｎ’だけ離れている）に対するユークリッド距離との差によりＤＳＡＭが算出されることを示している。
このＤＳＡＭは、前述したゼロクロスを含むパターン毎のエッジシフト情報に相当する指標を示す。
【００７４】
ｄｍｉｎ演算モードのときにｄｍｉｎ’演算部２９は内部にその演算結果を保持し、減算器３４に供給する。ｄｍｉｎ演算モードでないときは、ＤＳＡＭ演算部２８で演算して得たＤＳＡＭを減算器３４に供給する。算出された上記のＤＳＡＭとｄｍｉｎ’とは、減算器３４に供給されて減算された後、メモリ３０に記憶される一方、自乗演算部３１に供給されて自乗演算されてからＳＡＭＤＥＶ演算部３２に供給されて次式によりＳＡＭＤＥＶが算出される。
【００７５】
【数５】
2006202459.tif 000007
ここで、上記のＳＡＭＤＥＶは、前述したように従来のジッタに相当する指標である。ＳＡＭＤＥＶ演算部３２により算出されたＳＡＭＤＥＶはメモリ３３に格納された後、必要に応じて、エラーレート情報として出力される。一方、前記メモリ３０に記憶されたＤＳＡＭとｄｍｉｎ’との差分情報は、必要に応じて、エッジシフト情報として出力される。これらエラーレート情報及びエッジシフト情報は、図１のコントローラ１９へ出力される。
【００７６】
これにより、上記のエラーレート情報は、図１のレーザ駆動部２、又はライトチャネル２０を介して記録パルス列補正部１３に供給されて、半導体レーザ１から出射されるレーザパワーあるいはストラテジパルス設定パラメータをエラーの少なくなる方向へ導くために用いられる。あるいは、上記のエラーレート情報は、リードチャネル１８内の適応等化器２４のトランスバーサルフィルタ２４１の係数タップを更新して、エラーの少なくなる方向へ導くようにしてもよい。
【００７７】
また、上記のエッジシフト情報も、レーザパワーあるいはストラテジパルス設定パラメータをエラーの少なくなる方向へ導くために用いられるか、リードチャネル１８内の適応等化器２４のトランスバーサルフィルタ２４１の係数タップを更新して、エラーの少なくなる方向へ導く。
【００７８】
本実施の形態によれば、ビタビ復号器２５内の分配器２５５、ＬＰＦ２５６及び目標値演算部２５７により、仮判別信号に基づき適応的に更新したビタビ復号の目標値に対し、その値（レベル）を使った擬似的な信号を生成し、ｄｍｉｎ演算モードでは選択器２５０により選択した目標値をＳＷ２５１により波形等化後信号に替えてブランチメトリック演算部２５２に供給してビタビ復号することにより、従来の回路をそのまま用いて、最小自乗ユークリッド距離ｄｍｉｎ’の値を適応的に得ることができる。また、上記のｄｍｉｎ’を適応的に演算して求めているため、目標値を可変しているにも拘らず、エッジシフト情報やエラーレート情報を従来に比べて正確に求めることができる。
【００７９】
図７は図１のリードチャネル１８の他の実施の形態のブロック図を示す。同図中、図２と同一構成部分には同一符号を付し、その説明を省略する。図７に示すリードチャネル１８は、図２の自乗演算部３１の替わりに、絶対値演算部３５を設けた点に特徴がある。これにより、図７の実施の形態では、ｄｍｉｎ演算モードのときにｄｍｉｎ’演算部２９は内部にその演算結果を保持し、減算器３４に供給し、ｄｍｉｎ演算モードでないときは、ＤＳＡＭ演算部２８で演算して得たＤＳＡＭを減算器３４に供給して、算出された上記のＤＳＡＭとｄｍｉｎ’とを減算させ、その減算結果をメモリ３０に記憶する一方、絶対値演算部３５に供給して絶対値演算させる。
【００８０】
絶対値演算部３５により演算して得られた絶対値｜ＤＳＡＭ−ｄｍｉｎ’｜は、ＳＡＭＤＥＶ演算部３２に供給されて次式によりＳＡＭＤＥＶが算出される。
【００８１】
【数６】
2006202459.tif 000008
ここで、数６に示したＳＡＭＤＥＶは、前述したように従来のジッタに相当する指標である。ＳＡＭＤＥＶ演算部３２により算出されたＳＡＭＤＥＶは、図２の実施の形態と同様に、メモリ３３に格納された後、必要に応じて、エラーレート情報として出力される。
【００８２】
図７に示す構成のリードチャネル１８は、図２の自乗演算部３１の替わりに、絶対値演算部３５を用いることにより、自乗演算を近似的に絶対値演算で代用するので、図２に示した構成のリードチャネル１８に比べて精度は若干落ちるが、回路規模が少なくて済むという特長がある。
【図面の簡単な説明】
【００８３】
【図１】本発明の一実施の形態の記録再生装置の一実施の形態のブロック図である。
【図２】図１中のリードチャネルの一実施の形態のブロック図である。
【図３】図２中のリサンプリング・ＤＰＬＬの一例のブロック図である。
【図４】図２中の適応等化器の一例のブロック図である。
【図５】波形等化後信号に対する仮判別信号の０，ａ，２ａ，ａ＋ｂ，２ｂ，ａ＋２ｂ，２ａ＋２ｂの７値をビタビ復号器に入力した場合の状態遷移図である。
【図６】図２中のビタビ復号器の一実施の形態のブロック図である。
【図７】図１中のリードチャネルの他の実施の形態のブロック図である。
【図８】波形等化後信号に対する仮判別信号の０，ａ，２ａ，ａ＋ｂ，２ａ＋ｂ，２ｂ，ａ＋２ｂ，３ｂ，ａ＋３ｂ，２ａ＋３ｂの１０値をビタビ復号器に入力した場合の状態遷移図である。
【図９】ＰＲ（ａ，ｂ，ｂ，ｂ，ａ）の特性と仮判別回路が出力する仮判別値との関係を示す図である。
【図１０】従来の記録再生装置の一例のブロック図である。
【符号の説明】
【００８４】
１  半導体レーザ
６  光ディスク
８  受光素子
１８  リードチャネル
１９  コントローラ
２０  ライトチャネル
２１  Ａ／Ｄ変換器
２３  リサンプリング・ＤＰＬＬ
２４  適応等化器
２５  ビタビ復号器
２６  パターン別メトリック演算部
２７  パターン検出器
２８  ＤＳＡＭ演算部
２９  ｄｍｉｎ’演算部
３０、３３  メモリ
３１  自乗演算部
３２  ＳＡＭＤＥＶ演算部
３４  減算器
３５  絶対値演算部
２３１  補間器
２３２  位相検出器
２３３  ループフィルタ
２３４  タイミング調整器
２４１  トランスバーサルフィルタ
２４２  仮判別回路
２４３  インバータ（ＩＮＶ）
２４４  乗算器及びＬＰＦ
２５０  選択器
２５１  スイッチ（ＳＷ）
２５２  ブランチメトリック演算部
２５３  パスメトリック演算部
２５４  パスメモリ
２５５  分配器
２５６  低域フィルタ（ＬＰＦ）
２５７  目標値演算部
【図１】
2006202459.tif 000009
【図２】
2006202459.tif 000010
【図３】
2006202459.tif 000011
【図４】
2006202459.tif 000012
【図５】
2006202459.tif 000013
【図６】
2006202459.tif 000014
【図７】
2006202459.tif 000015
【図８】
2006202459.tif 000016
【図９】
2006202459.tif 000017
【図１０】
2006202459.tif 000018